(57)【要約】 【課題】本発明は、笊等に使用する仕切に関する発明である【解決手段】本発明は、底面に脚を備え複数の水切り孔を穿設した基台と前記基台上面中央に垂設された内部が中空の支柱からなる基台部と、連結ガイドを備えた略扇型の仕切からなる仕切板と、前記基台部と仕切板を回動可能に連結する連結レールを備えた筒体からなる接続部と、前記支柱の上端に取り付けられる下部にスリットを備えた固定部本体からなる固定部とからなることを特徴とする笊及びボウル用仕切と、下端に拡張部を形成した内部が中空の支柱本体からなる支柱部と、連結ガイド及び上面ガイドを備えた略扇型の仕切からなる仕切板と、前記支柱部と仕切板を回動可能に連結する連結レールを備えた筒体からなる接続部とからなることを特徴とする笊及びボウル用仕切の構成とした。【選択図】  図１
2007037831.tif 000002
【特許請求の範囲】
【請求項１】
底面に脚を備え複数の水切り孔を穿設した基台と前記基台上面中央に垂設された内部が中空の支柱からなる基台部と、連結ガイドを備えた略扇型の仕切からなる仕切板と、前記基台部と仕切板を回動可能に連結する連結レールを備えた筒体からなる接続部と、前記支柱の上端に取り付けられる下部にスリットを備えた固定部本体からなる固定部とからなることを特徴とする笊及びボウル用仕切。
【請求項２】
下端に拡張部を形成した内部が中空の支柱本体からなる支柱部と、連結ガイド及び上面ガイドを備えた略扇型の仕切からなる仕切板と、前記支柱部と仕切板を回動可能に連結する連結レールを備えた筒体からなる接続部とからなることを特徴とする請求項１に記載の笊及びボウル用仕切。
【発明の詳細な説明】
【技術分野】
【０００１】
本発明は、笊等に使用する仕切に関する発明である。
【背景技術】
【０００２】
従来、笊やボウルには仕切りなどはなく、必要に合わせて笊やボウルを増やして使用していた。
【０００３】
しかしながら、従来の笊やボウルでは、少量の具材を一つの笊やボウルに入れた場合、具材同士が混ざってしまうとの欠点がある。また、少量の具材であっても、別の笊やボウルを使用するために、笊やボウルの数が増えてしまい置き場がなくなってしまい邪魔になっていた。
【特許文献１】特開平１１−２９９６６３号公報
【発明の開示】
【発明が解決しようとする課題】
【０００４】
そこで、本発明は、簡単に取付け取り外しができ、笊やボウル内を仕切る数も自由に変更できる笊及びボウル用仕切を提供することを目的とするものである。
【課題を解決するための手段】
【０００５】
本発明は、上記の課題を解決するために、底面に脚２ｇを備え複数の水切り孔２ｆを穿設した基台２ｃと前記基台２ｃ上面中央に垂設された内部が中空２ｅの支柱２ａからなる基台部２と、連結ガイド３ｂを備えた略扇型の仕切３ａからなる仕切板３と、前記基台部２と仕切板３を回動可能に連結する連結レール４ｃを備えた筒体４ａからなる接続部４と、前記支柱２ａの上端に取り付けられる下部５ｃにスリット５ｄを備えた固定部本体５ａからなる固定部５とからなることを特徴とする笊及びボウル用仕切１の構成とした。
【０００６】
また、下端に拡張部７ｂを形成した内部が中空７ｃの支柱本体７ａからなる支柱部７と、連結ガイド８ｂ及び上面ガイド８ｄを備えた略扇型の仕切８ａからなる仕切板８と、前記支柱部７と仕切板８を回動可能に連結する連結レール９ｃを備えた筒体９ａからなる接続部９とからなることを特徴とする笊及びボウル用仕切１ａの構成とした。
【発明の効果】
【０００７】
本発明の笊及びボウル用仕切は、多く使用されている笊及びボウルの大きさに丁度良く簡単に取付け取り外しができるため、既に使用している笊やボウルにそのまま使用することができる。
【０００８】
また、仕切の枚数を変更できるため、少量かつ複数の具材を混ぜることなく１つの笊又はボウルに入れておくことができる。
【発明を実施するための最良の形態】
【０００９】
１つの笊やボウルで複数の具材を混ぜることなく入れることができるという目的を、取り外し可能な仕切りをつけることによって実現した。
【実施例１】
【００１０】
図１は本発明である笊及びボウル用仕切の平面図、図２は笊及びボウル用仕切の正面図である。図１及図２に示すように本発明である笊及びボウル用仕切１は、基台２ｃ及び基台２ｃの中央に垂設された支柱２ａからなる基台部２と、前記支柱２ａを中央に挿通して連結する接続部４と、前記接続部４の連結レール４ｃに接続される連結ガイド３ｂを形成した仕切板３と、前記支柱２ａの上端に取り付けられる固定部５とからなる。
【００１１】
図３は本発明である笊及びボウル用仕切の基台部の平面図、図４は笊及びボウル用仕切の基台部の底面図、図５は笊及びボウル用仕切の基台部の断面図である。図３から図５に示すように、前記基台部２は、複数の水切り孔２ｆを穿設し底面に複数の脚２ｇを備えた円盤状の基台２ｃと、前記基台２ｃの上面中央に垂設された内部が中空２ｅの支柱２ａからなる。前記支柱２ａの上部内壁面は傾斜２ｄが設けられており開口しており、また前記支柱２ａの下部は径の大きい底面２ｂとなっている。
【００１２】
図６は、本発明である笊及びボウル用仕切の仕切板の斜視図である。図６に示すように、前記仕切板３は曲面３ｃを形成した略扇型の仕切３ａからなり、前記仕切３ａの一辺には連結ガイド３ｂが形成されている。
【００１３】
図７は、本発明である笊及びボウル用仕切の接続部の斜視図である。前記接続部４は内部が中空４ｂの筒体４ａからなり、前記筒体４ａの外周面には縦方向に連結レール４ｃが形成されている。前記連結レール４ｃには隙間が設けられている。
【００１４】
図８は、本発明である笊及びボウル用仕切の固定部の斜視図である。前記固定部５は円柱状の固定部本体５ａと、前記固定部本体５ａの上端に取り付けられた円盤状の拡張部５ｂからなり、前記固定部本体５ａの下部５ｃにはスリット５ｄが設けられている。
【００１５】
図９は本発明である笊及びボウル用仕切の基台部及び固定部の断面図、図１０は笊及びボウル用仕切の一部拡大図である。図９及び図１０に示すように、前記固定部５は基台部２の支柱２ａ上端に挿入される。
【００１６】
図１０に示すように、支柱２ａに接続部４を取付け、支柱２ａの上端を前記固定部５で閉じる。前記接続部４の各連結レール４ｃを重ならないように違う方向に向け、各連結レール４ｃの隙間４ｄに前記連結ガイド３ｂを挿通することにより仕切板３と接続部４を連結する。
【００１７】
前記連結部４と支柱２ａは回動可能に連結されているため、連結部４に仕切板３を取り付けた後でも接続部４を自由に回動させて仕切板３同士の幅を変えることができる。
【００１８】
図１１は、本発明である笊及びボウル用仕切の仕切板の最も小さい仕切幅を示した平面図である。図１１に示すように、４枚の仕切板３を使用した場合に仕切板３同士の幅を最も狭くすると仕切板３の根本がぶつかるまで狭くすることができる。
【００１９】
図１２は、本発明である笊及びボウル用仕切を笊に設置した状態を示した平面図である。図１２に示すように、本発明である笊及びボウル用仕切１を設置し、仕切板３を十文字状に位置するように広げると、笊６の内部が４つの空間に分かれ、具材同士が混ざることなく料理の準備ができる。
【００２０】
本発明である笊及びボウル用仕切１を笊６に使用した場合、前記基台部２の基台２ｃ底面に突出している脚２ｇが笊６の隙間に嵌め込まれるため、笊及びボウル用仕切１自体が安定し、使用しやすい。尚、符号６ａは笊６の取っ手を示している。
【実施例２】
【００２１】
図１３は本発明である笊及びボウル用仕切の第２実施例の平面図、図１４は笊及びボウル用仕切の第２実施例の正面図である。図１３及び図１４に示すように、本発明である笊及びボウル用仕切１ａは、内部が中空７ｃの支柱本体７ａからなる支柱部７と、前記支柱本体７ａに連結される内部が中空９ｂの筒体９ａと前記筒体９ａの外表面に形成された連結レール９ｃからなる接続部９と、前記連結レール９ｃに取り付けられる連結ガイド８ｂを形成した略扇型の仕切８ａからなる仕切板８とからなる。
【００２２】
図１５は、本発明である笊及びボウル用仕切の第２実施例の支柱部の断面図である。図１５に示すように、前記支柱部７の支柱本体７ａは内部が中空７ｃで、下端が拡張部７ｂとなっている。
【００２３】
図１６は、本発明である笊及びボウル用仕切の第２実施例の仕切板の斜視図である。図１６に示すように、仕切板８は曲面８ｃを形成した略扇形状の仕切８ａからなり、前記仕切８ａの隣り合う２つの辺には連結ガイド８ｂ及び上面ガイド８ｄが形成されている。前記連結ガイド８ｂ及び上面ガイド８ｄは前記仕切８ａよりも幅が広く、前記連結ガイド８ｂと上面ガイド８ｄの幅は同じである。
【００２４】
図１７は、本発明である笊及びボウル用仕切の第２実施例の接続部の斜視図である。前記接続部９は内部が中空９ｂの筒体９ａからなり、前記筒体９ａの外周面には縦方向に連結レール９ｃが形成されている。前記連結レール９ｃには隙間が設けられている。
【００２５】
前記接続部９は中空９ｂ内に支柱本体７ａを挿通することで支柱部７に回動可能に取り付けられ、また、接続部９の連結レール９ｃに形成された隙間９ｄに仕切板８の連結ガイド８ｂを挿通することで、接続部９と仕切板８が連結される。
【００２６】
以上のように、４つの接続部９を支柱本体７ａに取付け、前記各接続部９に仕切板８を取り付けることで、図１３に示すように略十文字状の笊及びボウル用仕切が出来上がる。尚、接続部９は支柱部７に回動可能に取り付けられているため、仕切板８ａ同士の幅を自由に変えることができる。
【図面の簡単な説明】
【００２７】
【図１】本発明である笊及びボウル用仕切の平面図である。
【図２】本発明である笊及びボウル用仕切の正面図である。
【図３】本発明である笊及びボウル用仕切の基台部の平面図である。
【図４】本発明である笊及びボウル用仕切の基台部の底面図である。
【図５】本発明である笊及びボウル用仕切の基台部の断面図である。
【図６】本発明である笊及びボウル用仕切の仕切板の斜視図である。
【図７】本発明である笊及びボウル用仕切の接続部の斜視図である。
【図８】本発明である笊及びボウル用仕切の固定部の斜視図である。
【図９】本発明である笊及びボウル用仕切の基台部及び固定部の断面図である。
【図１０】本発明である笊及びボウル用仕切の一部拡大図である。
【図１１】本発明である笊及びボウル用仕切の仕切板の最も小さい仕切幅を示した平面図である。
【図１２】本発明である笊及びボウル用仕切を笊に設置した状態を示した平面図である。
【図１３】本発明である笊及びボウル用仕切の第２実施例の平面図である。
【図１４】本発明である笊及びボウル用仕切の第２実施例の正面図である。
【図１５】本発明である笊及びボウル用仕切の第２実施例の支柱部の断面図である。
【図１６】本発明である笊及びボウル用仕切の第２実施例の仕切板の斜視図である。
【図１７】本発明である笊及びボウル用仕切の第２実施例の接続部の斜視図である。
【符号の説明】
【００２８】
１      笊及びボウル用仕切
１ａ    笊及びボウル用仕切
２      基台部
２ａ    支柱
２ｂ    底面
２ｃ    基台
２ｄ    傾斜
２ｅ    中空
２ｆ    水切り孔
２ｇ    脚
３      仕切板
３ａ    仕切
３ｂ    連結ガイド
３ｃ    曲面
４      接続部
４ａ    筒体
４ｂ    中空
４ｃ    連結レール
４ｄ    隙間
５      固定部
５ａ    固定部本体
５ｂ    拡張部
５ｃ    下部
５ｄ    スリット
６      笊
６ａ    取っ手
７      支柱部
７ａ    支柱本体
７ｂ    拡張部
７ｃ    中空
８      仕切板
８ａ    仕切
８ｂ    連結ガイド
８ｃ    曲面
８ｄ    上面ガイド
９      接続部
９ａ    筒体
９ｂ    中空
９ｃ    連結レール
９ｄ    隙間
【図１】
2007037831.tif 000003
【図２】
2007037831.tif 000004
【図３】
2007037831.tif 000005
【図４】
2007037831.tif 000006
【図５】
2007037831.tif 000007
【図６】
2007037831.tif 000008
【図７】
2007037831.tif 000009
【図８】
2007037831.tif 000010
【図９】
2007037831.tif 000011
【図１０】
2007037831.tif 000012
【図１１】
2007037831.tif 000013
【図１２】
2007037831.tif 000014
【図１３】
2007037831.tif 000015
【図１４】
2007037831.tif 000016
【図１５】
2007037831.tif 000017
【図１６】
2007037831.tif 000018
【図１７】
2007037831.tif 000019